(57)【特許請求の範囲】
【請求項１】
昇降台を互いの間で昇降自在に支持する一対の支柱と、
前記支柱の上端側に設けられた案内体にて前記一対の支柱の並び方向に沿う方向である支柱並び方向の両側に垂下された状態で、一端に前記昇降台が吊り下げられた昇降用ワイヤと、
その昇降用ワイヤの他端側を巻き取る巻取りドラムと、
その巻取りドラムを回転駆動するモータと、
前記案内体と前記巻取りドラムとの間で、前記昇降用ワイヤにおける前記巻取りドラム側の垂下部分であるドラム側垂下部分を挟み付けて制動する制動状態に作動可能な制動手段と、
前記昇降台を上昇又は下降させるべく作動させている前記モータを非常停止させるときに、前記制動手段を前記制動状態に作動させる制御手段とが設けられ、
前記昇降用ワイヤのドラム側垂下部分が、前記一対の支柱のうちの前記巻取りドラムが位置する側のドラム側支柱よりも前記支柱並び方向で外方側に配置され、
前記制動手段が、前記昇降用ワイヤのドラム側垂下部分の移動経路における前記ドラム側支柱の側の側方に固定状に設けられた固定側パッドと、移動側パッドを前記移動経路における前記ドラム側支柱の側とは反対側の側方にて前記固定側パッドと対向させた状態で先端に支持し且つ前記移動側パッドを前記支柱並び方向に沿って移動させるように揺動自在な揺動体と、その揺動体に作用する作用部を前記支柱並び方向に沿って移動させることにより、前記移動側パッドを前記固定側パッドに接近させて両パッドにて前記昇降用ワイヤを挟み付ける前記制動状態にすべく前記揺動体を揺動させる揺動駆動手段とを備えて構成されたワイヤ巻き取り式昇降搬送装置であって、
前記揺動体が、その先端と基端とが並ぶ方向である長手方向の中間部にて揺動自在に支持され、
前記揺動駆動手段が、前記揺動体の基端部よりも前記ドラム側支柱の側に設けられて、前記作用部を突出させて前記揺動体の基端部を押すことにより、前記両パッドにて前記昇降用ワイヤを挟み付けるべく前記揺動体を揺動させるように構成されているワイヤ巻き取り式昇降搬送装置。
【請求項２】
前記揺動体が、前記長手方向を上下方向に向けた姿勢で、前記支柱並び方向に直交する横方向である横幅方向の軸心周りで揺動自在に設けられ、
前記揺動体の基端側に、前記ドラム側支柱よりも前記横幅方向に突出する操作部が備えられ、
前記揺動駆動手段が、前記作用部にて前記揺動体の操作部を押し付け可能な状態で、前記ドラム側支柱における前記横幅方向の側方に設けられている請求項１に記載のワイヤ巻き取り式昇降搬送装置。
【請求項３】
昇降台を互いの間で昇降自在に支持する一対の支柱と、
前記支柱の上端側に設けられた案内体にて前記一対の支柱の並び方向に沿う方向である支柱並び方向の両側に垂下された状態で、一端に前記昇降台が吊り下げられた昇降用ワイヤと、
その昇降用ワイヤの他端側を巻き取る巻取りドラムと、
その巻取りドラムを回転駆動するモータと、
前記案内体と前記巻取りドラムとの間で、前記昇降用ワイヤにおける前記巻取りドラム側の垂下部分であるドラム側垂下部分を挟み付けて制動する制動状態に作動可能な制動手段と、
前記昇降台を上昇又は下降させるべく作動させている前記モータを非常停止させるときに、前記制動手段を前記制動状態に作動させる制御手段とが設けられ、
前記昇降用ワイヤのドラム側垂下部分が、前記一対の支柱のうちの前記巻取りドラムが位置する側のドラム側支柱よりも前記支柱並び方向で外方側に配置され、
前記制動手段が、前記昇降用ワイヤのドラム側垂下部分の移動経路における前記ドラム側支柱の側の側方に固定状に設けられた固定側パッドと、移動側パッドを前記移動経路における前記ドラム側支柱の側とは反対側の側方にて前記固定側パッドと対向させた状態で先端に支持し且つ前記移動側パッドを前記支柱並び方向に沿って移動させるように揺動自在な揺動体と、その揺動体に作用する作用部を前記支柱並び方向に沿って移動させることにより、前記移動側パッドを前記固定側パッドに接近させて両パッドにて前記昇降用ワイヤを挟み付ける前記制動状態にすべく前記揺動体を揺動させる揺動駆動手段とを備えて構成されたワイヤ巻き取り式昇降搬送装置であって、
前記揺動体が、その先端と基端とが並ぶ方向である長手方向を上下方向に向けた姿勢で、前記長手方向の中間部にて前記支柱並び方向に直交する横方向である横幅方向の軸心周りで揺動自在に支持され、
前記揺動体の基端側に、前記ドラム側支柱よりも前記横幅方向に突出する操作部が備えられ、
前記揺動駆動手段が、前記作用部にて前記揺動体の操作部を押し付け可能な状態で、前記ドラム側支柱における前記横幅方向の側方に設けられているワイヤ巻き取り式昇降搬送装置。
【請求項４】
前記制御手段が、前記揺動体における前記ドラム側支柱の側とは反対側の側方に設けられている請求項１〜３のいずれか１項に記載のワイヤ巻き取り式昇降搬送装置。
【発明の詳細な説明】
【技術分野】
【０００１】
本発明は、昇降台を互いの間で昇降自在に支持する一対の支柱と、前記支柱の上端側に設けられた案内体にて前記一対の支柱の並び方向に沿う方向である支柱並び方向の両側に垂下された状態で、一端に前記昇降台が吊り下げられた昇降用ワイヤと、その昇降用ワイヤの他端側を巻き取る巻取りドラムと、その巻取りドラムを回転駆動するモータと、前記案内体と前記巻取りドラムとの間で、前記昇降用ワイヤにおける前記巻取りドラム側の垂下部分であるドラム側垂下部分を挟み付けて制動する制動状態に作動可能な制動手段と、前記昇降台を上昇又は下降させるべく作動させている前記モータを非常停止させるときに、前記制動手段を前記制動状態に作動させる制御手段とが設けられ、前記昇降用ワイヤのドラム側垂下部分が、前記一対の支柱のうちの前記巻取りドラムが位置する側のドラム側支柱よりも前記支柱並び方向で外方側に配置され、前記制動手段が、前記昇降用ワイヤのドラム側垂下部分の移動経路における前記ドラム側支柱の側の側方に固定状に設けられた固定側パッドと、移動側パッドを前記移動経路における前記ドラム側支柱の側とは反対側の側方にて前記固定側パッドと対向させた状態で先端に支持し且つ前記移動側パッドを前記支柱並び方向に沿って移動させるように揺動自在な揺動体と、その揺動体に作用する作用部を前記支柱並び方向に沿って移動させることにより、前記移動側パッドを前記固定側パッドに接近させて両パッドにて前記昇降用ワイヤを挟み付ける前記制動状態にすべく前記揺動体を揺動させる揺動駆動手段とを備えて構成されたワイヤ巻き取り式昇降搬送装置に関する。
【背景技術】
【０００２】
かかるワイヤ巻き取り式昇降搬送装置は、モータにより巻取りドラムを正逆回転させて、巻取りドラムによって昇降用ワイヤの巻取り繰り出し作用をさせることにより、昇降台を昇降させるものであり、例えば、自動倉庫における物品の入出庫用として用いられる。
そして、昇降台を上昇又は下降させるべく作動させているモータを非常停止させて、昇降台の上昇又は下降を非常停止させるときに、制動手段を制動状態に作動させて、案内体と巻取りドラムとの間で、固定側パッドと移動側パッドにより昇降用ワイヤのドラム側垂下部分を挟み付けることにより、巻取りドラムにおける昇降用ワイヤの巻き状態が乱れて、乱巻き状態になるのを防止する構成となっている。
【０００３】
このような乱巻き状態は、特に、昇降台の上昇を非常停止させるときに起こり易い。
即ち、モータの非常停止に伴って巻取りドラムの回転が非常停止して、昇降用ワイヤの巻取りが非常停止しても、昇降台には上方向きの慣性力が働くので、昇降台が停止するのに多少の遅れが生じる。
すると、停止状態の巻取りドラムに対して、巻取り方向に昇降用ワイヤが送り込まれて昇降用ワイヤが弛むので、乱巻き状態になり易い。
そこで、モータの非常停止に伴って制動手段を制動状態に作動させて、固定側パッドと移動側パッドとにより昇降用ワイヤのドラム側垂下部分を挟み付けることにより、昇降用ワイヤの弛みを抑制して、乱巻き状態になるのを防止するのである。
【０００４】
このようなワイヤ巻き取り式昇降搬送装置において、従来は、揺動体が、基端部にて揺動自在に支持され、並びに、揺動駆動手段が、作用部を揺動体の先端部に押し付け作用させるように、揺動体の先端部よりもドラム側支柱の側とは反対側に設けられていた。
そして、作用部を突出させて揺動体の先端部を押すことにより、移動側及び固定側の両パッドにて昇降用ワイヤを挟み付けるべく揺動体を揺動させるように構成されていた（例えば、特許文献１参照。）。
【先行技術文献】
【特許文献】
【０００５】
【特許文献１】特開２００１−３０２１８６号公報
【発明の概要】
【発明が解決しようとする課題】
【０００６】
しかしながら、従来の如き揺動体及び揺動駆動手段の配置形態では、揺動駆動手段の全体が揺動体の先端部よりもドラム側支柱とは反対側に突出する状態となるので、ワイヤ巻き取り式昇降搬送装置における支柱並び方向での長さが長くなるという問題があった。
【０００７】
本発明は、かかる実情に鑑みてなされたものであり、その目的は、支柱並び方向での長さが短縮されてコンパクト化が図られたワイヤ巻き取り式昇降搬送装置を提供することにある。
【課題を解決するための手段】
【０００８】
本発明のワイヤ巻き取り式昇降搬送装置は、昇降台を互いの間で昇降自在に支持する一対の支柱と、前記支柱の上端側に設けられた案内体にて前記一対の支柱の並び方向に沿う方向である支柱並び方向の両側に垂下された状態で、一端に前記昇降台が吊り下げられた昇降用ワイヤと、その昇降用ワイヤの他端側を巻き取る巻取りドラムと、その巻取りドラムを回転駆動するモータと、前記案内体と前記巻取りドラムとの間で、前記昇降用ワイヤにおける前記巻取りドラム側の垂下部分であるドラム側垂下部分を挟み付けて制動する制動状態に作動可能な制動手段と、前記昇降台を上昇又は下降させるべく作動させている前記モータを非常停止させるときに、前記制動手段を前記制動状態に作動させる制御手段とが設けられ、前記昇降用ワイヤのドラム側垂下部分が、前記一対の支柱のうちの前記巻取りドラムが位置する側のドラム側支柱よりも前記支柱並び方向で外方側に配置され、  前記制動手段が、前記昇降用ワイヤのドラム側垂下部分の移動経路における前記ドラム側支柱の側の側方に固定状に設けられた固定側パッドと、移動側パッドを前記移動経路における前記ドラム側支柱の側とは反対側の側方にて前記固定側パッドと対向させた状態で先端に支持し且つ前記移動側パッドを前記支柱並び方向に沿って移動させるように揺動自在な揺動体と、その揺動体に作用する作用部を前記支柱並び方向に沿って移動させることにより、前記移動側パッドを前記固定側パッドに接近させて両パッドにて前記昇降用ワイヤを挟み付ける前記制動状態にすべく前記揺動体を揺動させる揺動駆動手段とを備えて構成されたものであって、
第１特徴構成は、前記揺動体が、その先端と基端とが並ぶ方向である長手方向の中間部にて揺動自在に支持され、
前記揺動駆動手段が、前記揺動体の基端部よりも前記ドラム側支柱の側に設けられて、前記作用部を突出させて前記揺動体の基端部を押すことにより、前記両パッドにて前記昇降用ワイヤを挟み付けるべく前記揺動体を揺動させるように構成されている点にある。
【０００９】
即ち、作用部を引っ込ませることにより作動状態にする形態の揺動駆動手段を用いる場合は、揺動駆動手段を揺動体の基端部よりもドラム側支柱とは反対側に設けて、作用部を引っ込ませて揺動体の基端部を引っ張ることにより、両パッドにて昇降用ワイヤを挟み付けるべく揺動体を揺動させることになる。
この場合、揺動駆動手段を、支柱並び方向において揺動体の先端部よりもドラム側支柱の側に寄せて設けることができるので、揺動駆動手段が支柱並び方向において揺動体の先端部よりもドラム側支柱の側とは反対側に突出するのを抑制することが可能である。
又、作用部を突出させることにより作動状態にする形態の揺動駆動手段を用いる場合は、揺動駆動手段を揺動体の基端部よりもドラム側支柱の側に設けることになり、この場合は、勿論、揺動駆動手段が支柱並び方向において揺動体の先端部よりもドラム側支柱の側とは反対側に突出しない状態となる。
従って、支柱並び方向での長さが短縮されてコンパクト化が図られたワイヤ巻き取り式
昇降搬送装置を提供することができるようになった。
また、作用部を突出させることにより作動状態にする形態の揺動駆動手段を用いることにより、上述したように、揺動駆動手段が支柱並び方向において揺動体の先端部よりもドラム側支柱の側とは反対側に突出しない状態となる。
従って、支柱並び方向での長さを極力短縮することができるので、ワイヤ巻き取り式昇降搬送装置のコンパクト化を効果的に図ることができる。
【００１０】
第２特徴構成は、上記第１特徴構成に加えて、
前記揺動体が、前記長手方向を上下方向に向けた姿勢で、前記支柱並び方向に直交する横方向である横幅方向の軸心周りで揺動自在に設けられ、
前記揺動体の基端側に、前記ドラム側支柱よりも前記横幅方向に突出する操作部が備えられ、
前記揺動駆動手段が、前記作用部にて前記揺動体の操作部を押し付け可能な状態で、前記ドラム側支柱における前記横幅方向の側方に設けられている点にある。
【００１１】
即ち、揺動体を、その長手方向が上下方向に向く姿勢で横幅方向の軸心周りで揺動自在に設け、並びに、揺動体の基端側に、ドラム側支柱よりも横幅方向に突出する操作部を備えることにより、揺動駆動手段をドラム側支柱における横幅方向の側方に設けても、作用部にて揺動体の操作部を押し付けて、固定側及び移動側の両パッドにて昇降用ワイヤを挟み付けるべく揺動体を揺動させることができる。
そして、揺動体をその長手方向が上下方向に向く姿勢で設けることにより、揺動体が横幅方向においてドラム側支柱から突出するのを抑制することができる。
又、揺動駆動手段をドラム側支柱における横幅方向の側方に設けることにより、ワイヤ巻き取り式昇降搬送装置における支柱並び方向での長さをより一層短縮することができ、しかも、揺動駆動手段のメンテナンス作業を行い易いようにすることができる。
従って、メンテナンス作業を行い易いようにしながら、ワイヤ巻き取り式昇降搬送装置をより一層コンパクト化することができる。
【００１２】
第３特徴構成は、昇降台を互いの間で昇降自在に支持する一対の支柱と、
前記支柱の上端側に設けられた案内体にて前記一対の支柱の並び方向に沿う方向である支柱並び方向の両側に垂下された状態で、一端に前記昇降台が吊り下げられた昇降用ワイヤと、その昇降用ワイヤの他端側を巻き取る巻取りドラムと、その巻取りドラムを回転駆動するモータと、前記案内体と前記巻取りドラムとの間で、前記昇降用ワイヤにおける前記巻取りドラム側の垂下部分であるドラム側垂下部分を挟み付けて制動する制動状態に作動可能な制動手段と、前記昇降台を上昇又は下降させるべく作動させている前記モータを非常停止させるときに、前記制動手段を前記制動状態に作動させる制御手段とが設けられ、前記昇降用ワイヤのドラム側垂下部分が、前記一対の支柱のうちの前記巻取りドラムが位置する側のドラム側支柱よりも前記支柱並び方向で外方側に配置され、前記制動手段が、前記昇降用ワイヤのドラム側垂下部分の移動経路における前記ドラム側支柱の側の側方に固定状に設けられた固定側パッドと、移動側パッドを前記移動経路における前記ドラム側支柱の側とは反対側の側方にて前記固定側パッドと対向させた状態で先端に支持し且つ前記移動側パッドを前記支柱並び方向に沿って移動させるように揺動自在な揺動体と、その揺動体に作用する作用部を前記支柱並び方向に沿って移動させることにより、前記移動側パッドを前記固定側パッドに接近させて両パッドにて前記昇降用ワイヤを挟み付ける前記制動状態にすべく前記揺動体を揺動させる揺動駆動手段とを備えて構成されたワイヤ巻き取り式昇降搬送装置であって、
前記揺動体が、その先端と基端とが並ぶ方向である長手方向を上下方向に向けた姿勢で、前記長手方向の中間部にて前記支柱並び方向に直交する横方向である横幅方向の軸心周りで揺動自在に支持され、
前記揺動体の基端側に、前記ドラム側支柱よりも前記横幅方向に突出する操作部が備えられ、
前記揺動駆動手段が、前記作用部にて前記揺動体の操作部を押し付け可能な状態で、前記ドラム側支柱における前記横幅方向の側方に設けられている点にある。
【００１３】
即ち、作用部を引っ込ませることにより作動状態にする形態の揺動駆動手段を用いる場合は、揺動駆動手段を揺動体の基端部よりもドラム側支柱とは反対側に設けて、作用部を引っ込ませて揺動体の基端部を引っ張ることにより、両パッドにて昇降用ワイヤを挟み付けるべく揺動体を揺動させることになる。
この場合、揺動駆動手段を、支柱並び方向において揺動体の先端部よりもドラム側支柱の側に寄せて設けることができるので、揺動駆動手段が支柱並び方向において揺動体の先端部よりもドラム側支柱の側とは反対側に突出するのを抑制することが可能である。
又、作用部を突出させることにより作動状態にする形態の揺動駆動手段を用いる場合は、揺動駆動手段を揺動体の基端部よりもドラム側支柱の側に設けることになり、この場合は、勿論、揺動駆動手段が支柱並び方向において揺動体の先端部よりもドラム側支柱の側とは反対側に突出しない状態となる。
従って、支柱並び方向での長さが短縮されてコンパクト化が図られたワイヤ巻き取り式
昇降搬送装置を提供することができるようになった。
また、揺動体を、その長手方向が上下方向に向く姿勢で横幅方向の軸心周りで揺動自在に設け、並びに、揺動体の基端側に、ドラム側支柱よりも横幅方向に突出する操作部を備えることにより、揺動駆動手段をドラム側支柱における横幅方向の側方に設けても、作用部にて揺動体の操作部を押し付けて、固定側及び移動側の両パッドにて昇降用ワイヤを挟み付けるべく揺動体を揺動させることができる。
そして、揺動体をその長手方向が上下方向に向く姿勢で設けることにより、揺動体が横幅方向においてドラム側支柱から突出するのを抑制することができる。
又、揺動駆動手段をドラム側支柱における横幅方向の側方に設けることにより、ワイヤ巻き取り式昇降搬送装置における支柱並び方向での長さをより一層短縮することができ、しかも、揺動駆動手段のメンテナンス作業を行い易いようにすることができる。
従って、メンテナンス作業を行い易いようにしながら、ワイヤ巻き取り式昇降搬送装置をより一層コンパクト化することができる。
【００１４】
第４特徴構成は、上記第１〜第３特徴構成のいずれか１つに加えて、
前記制御手段が、前記揺動体における前記ドラム側支柱の側とは反対側の側方に設けられている点にある。
【００１５】
即ち、制御手段が揺動体におけるドラム側支柱の側とは反対側の側方に設けられているので、制御手段がドラム側支柱における横幅方向の側方に設けられる場合に比べて、ワイヤ巻き取り式昇降搬送装置における支柱並び方向に直交する横幅方向での長さである横幅を狭くすることができる。
尚、作用部を引っ込ませることにより作動状態にする形態の揺動駆動手段を用いる場合は、制御手段を揺動駆動手段よりも下方に設けることにより、制御手段を揺動駆動手段に規制されることなく揺動体側に寄せて設けることができるので、ワイヤ巻き取り式昇降搬送装置における支柱並び方向での長さが長くなるのを防止することができる。
【００１６】
つまり、このようなワイヤ巻き取り式昇降搬送装置を自動倉庫での物品の入出庫用として用いる場合、複数の収納部を縦横に並べて備える左右一対の物品収納棚の間に、ワイヤ巻き取り式昇降搬送装置をその支柱並び方向が物品収納棚の前面に沿う姿勢で設けて、ワイヤ巻き取り式昇降搬送装置をその支柱並び方向に走行させることになる。
このような場合、左右一対の物品収納棚の間隔を狭くして、自動倉庫のコンパクト化を図ることが望まれ、その要望に対応するために、制御手段を支柱並び方向においてドラム側支柱の外側に設けることにより、ワイヤ巻き取り式昇降搬送装置における横幅を狭くすることになる。
そこで、このような制御手段の配置形態を採用することにより横幅を狭くしたワイヤ巻き取り式昇降搬送装置において、本発明を適用することにより、支柱並び方向での長さを短縮してより一層コンパクト化を図ることができる。
【図面の簡単な説明】
【００１７】
【図１】スタッカークレーンを備えた自動倉庫の正面図
【図２】スタッカークレーンを備えた自動倉庫の概略平面図
【図３】スタッカークレーンの側面図
【図４】スタッカークレーンの上部の斜視図
【図５】スタッカークレーンの横断平面図
【図６】スタッカークレーンの下部の斜視図
【図７】スタッカークレーンにおける制動手段の周辺の側面図
【図８】スタッカークレーンにおける制動手段の周辺の側面図
【図９】スタッカークレーンにおける制動手段の周辺の正面図
【図１０】スタッカークレーンにおける制動手段の周辺の横断平面図
【図１１】制動手段の斜視図
【図１２】制動手段の分解斜視図
【発明を実施するための形態】
【００１８】
以下、図面に基づいて、本発明をワイヤ巻き取り式昇降搬送装置の一例としてのスタッカークレーンに適用した場合の実施形態を説明する。
図１及び図２に示すように、バケット状の容器等の物品を収納する複数の収納部１を縦横に並べて備える左右一対の物品収納棚Ｂが設けられ、それら一対の物品収納棚Ｂの間の作業通路Ｅを移動するスタッカークレーンＡが設けられ、物品収納棚Ｂへ収納するする物品を外部から搬入する物品入庫部Ｄａ、及び、物品収納棚Ｂから取り出された物品を外部に搬出するための物品出庫部Ｄｂが、一対の物品収納棚Ｂの夫々の横側部に隣接する箇所に振り分け設置され、そして、スタッカークレーンＡによって、収納部１に収納された物品を物品出庫部Ｄｂに取り出す出庫作業及び物品入庫部Ｄａに搬入された物品を収納部１に収納する入庫作業を行う自動倉庫が構成されている。
【００１９】
図３及び図４に示すように、スタッカークレーンＡは、上述の作業通路Ｅに沿って床面上に設置された単一の走行レール２に沿って走行する下部枠体３と、その下部枠体３の走行方向の前後端部箇所に立設されて、昇降台４を互いの間に昇降自在に支持する前後一対の支柱５と、一対の支柱５の上端部同士を連結する上部枠体６とを備え、且つ、前後一対の支柱５の上端側部分の夫々に、作業通路Ｅの天井側に設置されたガイドレール７の横側面に接当するガイドローラ８が左右一対ずつ装備されている。
従って、スタッカークレーンＡは、走行レール２とガイドレール７にて案内される状態で作業通路Ｅを走行して、上述の入庫作業や出庫作業を行うように構成されている。
【００２０】
図３及び図６に示すように、下部枠体３は、その前後方向の一端側に、走行レール２の上面に載置される駆動車輪９と走行レール２の横側面に接当する左右一対のガイド輪１０、及び、駆動車輪９を回転駆動する走行用モータ１１を備え、かつ、その前後方向の他端側に、走行レール２の上面に載置される遊転車輪１２と走行レール２の横側面に接当する左右一対のガイド輪１３を備えて、走行レール２に沿って走行するように構成されている。
【００２１】
ちなみに、以下の説明においては、駆動車輪９が位置する側がスタッカークレーンＡの前方側であり、遊転車輪１２が位置する側がスタッカークレーンＡの後方側であるとして説明する。
そして、以下の説明で、一対の支柱５をその配設位置を特定して記載する場合、駆動車輪９の存在側に配設されているものを前方側支柱５Ｆと記載し、遊転車輪１２の存在側に配設されているものを後方側支柱５Ｒと記載する。
尚、以下の記載においては、スタッカークレーンＡの前後方向を、車体前後方向と簡略して記載し、また、スタッカークレーンＡの横幅方向を、車体横幅方向と簡略して記載する。
【００２２】
図２〜図４に示すように、昇降台４には、物品移載用のフォーク装置Ｆが、車体前後方向に並べて２台設けられている。
この２台のフォーク装置Ｆの設置間隔は、図２に示すように、物品収納棚Ｂにおける収納部１が車体前後方向に相当する棚横幅方向に並ぶ間隔と同じであり、２台のフォーク装置Ｆによって、棚横幅方向に並ぶ２つの収納部１に対して同時に移載作業を行えるようになっている。
【００２３】
図３、図４及び図６に示すように、更に、このスタッカークレーンＡには、支柱５の上端側に設けられた案内体１５にて車体前後方向（一対の支柱５の並び方向に沿う方向である支柱並び方向に相当する）の両側に垂下された状態で、夫々の一端に昇降台４が吊り下げられた一対の昇降用ワイヤ１４と、その一対の昇降用ワイヤ１４の他端側を巻き取る巻取りドラム１６と、その巻取りドラムを回転駆動するモータとしての昇降用モータ１７と、案内体１５と巻取りドラム１６との間で、一対の昇降用ワイヤ１４夫々における巻取りドラム１６側の垂下部分であるドラム側垂下部分１４ｄを挟み付けて制動する制動状態に作動可能な制動手段Ｓと、このスタッカークレーンＡの運転を制御する制御手段としての制御装置Ｈとが設けられている。
この制御装置Ｈは、昇降台４を上昇させるべく作動させている昇降用モータ１７を非常停止させるときに、制動手段Ｓを前記制動状態に作動させるように構成されている。
ちなみに、昇降用モータ１７は、無励磁作動型の電磁ブレーキ付であり、その回転を停止させるべく通電を断つと、同時に電磁ブレーキが作動するように構成されている。
【００２４】
以下の説明で、一対の昇降用ワイヤ１４をその配設位置を特定して記載する場合、昇降台４の車体前方側箇所に連結されるものを前方側の昇降用ワイヤ１４Ｆと記載し、昇降台４の車体後方側箇所に連結されるものを後方側の昇降用ワイヤ１４Ｒと記載する。
図３及び図４に示すように、前方側支柱５Ｆの上端部の左側の側部には、案内体１５として、第１案内体１５Ａ及び第２案内体１５Ｂが、第２案内体１５Ｂが第１案内体１５Ａの前方で且つ下方側に隣接して並ぶ形態で設けられている。
そして、前方側の昇降用ワイヤ１４Ｆは、昇降台４から上方に向けて伸びたのちに、第１案内体１５Ａ及び第２案内体１５Ｂにて、前方側支柱５Ｆの前面に沿って下方に向かうように案内されて、前方側支柱５Ｆの下端側部分の前方側箇所に位置する巻取りドラム１６に巻き取られるようになっている。
【００２５】
又、図３及び図４に示すように、後方側支柱５Ｒの上端部の右側の側部には、案内体１５として、第３案内体１５Ｃが設けられ、前方側支柱５Ｆの上端部の右側の側部には、案内体１５として、第４案内体１５Ｄが設けられている。
そして、後方側の昇降用ワイヤ１４Ｒは、昇降台４から上方に向けて伸びたのちに、先ず、第３案内体１５Ｃにて車体前方側に向かうように案内され、次に、第４案内体１５Ｄにて、前方側支柱５Ｆの前面に沿って下方に向かうように案内されて、上述した巻取りドラム１６に巻き取られるようになっている。
従って、巻取りドラム１６が昇降用モータ１７にて正逆に駆動回転されて、一対の昇降用ワイヤ１４の巻取りドラム１６からの繰り出しや巻取りドラム１６への巻き取りが行われることにより、昇降台４が昇降されるように構成されている。
【００２６】
図３〜図５に示すように、昇降台４の車体前方側の端部には、前方側支柱５Ｆの両横側面に接当する横位置規制用輪体１９、及び、前方側支柱５Ｆの車体後方側に相当する面に接当する前後位置規制用輪体２０が設けられている。
又、昇降台４の車体後方側の端部には、後方側支柱５Ｒの両横側面に接当する横位置規制用輪体２１、及び、後方側支柱５Ａの車体前方側に相当する面に接当する前後位置規制用輪体２２が設けられている。
従って、昇降台４は、車体横幅方向や車体前後方向での位置が規制されるように、前後一対の支柱５にて案内される状態で、前後の一対の支柱５に沿って昇降されるように構成されている。
【００２７】
図３及び図６に示すように、下部枠体３は、駆動車輪９及びその駆動車輪９を正逆に駆動する走行用モータ１１を支持する駆動車輪支持枠２３と、遊転車輪１１を支持する遊転車輪支持枠２４と、それら駆動車輪支持枠２３と遊転車輪支持枠２４とに亘って架設される連結枠２５とを備える状態に構成されている。
尚、駆動車輪支持枠２３には、上述したガイド輪１０が支持され、また、遊転車輪支持枠２４には、上述したガイド輪１３が支持されている。
【００２８】
下部枠体３を構成する連結枠２５は、図３及び図６に示すように、前後方向に延びる主体部分２５Ａの前後両端の夫々に、平面視形状Ｌ字状の副枠部分２５Ｆ、２５Ｒが、主体枠部分２５Ａから上方に立設する状態で溶接により取付けられ、駆動車輪支持枠２３が前方側の副枠部分２５Ｆに取り付けられ、遊転車輪支持枠２４が後方側の副枠部分２５Ｒに取り付けられている。
前方側支柱５Ｆは、ボルト（図示省略）によって、前方側の副枠部分２５Ｆ及び駆動車輪支持枠２３に固定され、後方側支柱５Ｒは、ボルト（図示省略）によって、後方側の副枠部分２５Ｒ及び遊転車輪支持枠２４に、固定されている。
ちなみに、前方側支柱５Ｆ及び後方側支柱５Ｒは、角筒状に形成されている。
【００２９】
図６に示すように、前方側の副枠部分２５Ｆにおける上端側部分に、取付け枠２６が溶接される状態で設けられ、その取付け枠２６に、巻取りドラム１６及び昇降用モータ１７が取り付けられている。
つまり、巻取りドラム１６及び昇降用モータ１７が、一対の支柱５のうちの前方側支柱５Ｆの下端部分に位置することになる。
そして、一対の昇降用ワイヤ４夫々のドラム側垂下部分１４ｄが、車体横幅方向に間隔を隔てて並ぶ形態で、一対の支柱５のうちの前方側支柱５Ｆ（巻取りドラム１６が位置する側のドラム側支柱に相当する）よりも車体前後方向（支柱並び方向に相当する）で外方側に配置されていることになる。
【００３０】
図６〜図１２に示すように、上述の制動手段Ｓは、一対の昇降用ワイヤ１４のドラム側垂下部分１４ｄの移動経路（以下、ワイヤ移動経路と記載する場合がある）Ｃにおける前方側支柱５Ｆの側の側方に固定状に設けられた固定側パッド３１と、移動側パッド３２をワイヤ移動経路Ｃにおける前方側支柱５Ｆの側とは反対側の側方にて固定側パッド３１と対向させた状態で先端３３Ｔに支持し且つ移動側パッド３２を車体前後方向に沿って移動させるように揺動自在な揺動体３３と、その揺動体３３に作用する作用部としてのロッド３４ｒを車体前後方向に沿って移動させることにより、移動側パッド３２を固定側パッド３１に接近させて両パッド３１，３２にて一対の昇降用ワイヤ１４を挟み付ける制動状態にすべく揺動体３３を揺動させる揺動駆動手段としての制動用ソレノイド３４とを備えて構成されている。
【００３１】
尚、図７は、制動状態が解除された状態での制動手段Ｓの側面図を示し、図８は、制動状態に作動された状態での制動手段Ｓの側面図を示す。
又、図９は、制御装置Ｈが内部に設けられた制御ボックス３９（詳細は後述）を省略した状態での要部の正面図であり、図１０は、制御ボックス３９を省略した状態での要部の横断平面図である。
【００３２】
そして、本発明では、揺動体３３が、その先端３３Ｔと基端３３Ｂとが並ぶ方向である長手方向の中間部にて揺動自在に支持され、制動用ソレノイド３４が、ロッド３４ｒを揺動体３３の基端部３３ｈ（後述する操作部に相当する）に作用させるように設けられている。
【００３３】
以下、図７〜図１２に基づいて、上述の制動手段Ｓについて、説明を加える。
前方側支柱５Ｆの前面よりもやや幅広の部分を備える台枠３５が、前方側支柱５Ｆの前面部にボルト固定されている。
更に、その台枠３５の上端側の広幅部分には、一対の揺動支持アーム部３５ａが、車体横幅方向両端側に振り分けられて、前方に突出する状態で一体的に備えられている。
固定側パッド３１は、台枠３５の幅と略同幅の長さを有する長尺状に形成され、その固定側パッド３１が、台枠３５の前面の下端に、その幅方向に沿わせてボルト固定されている。ちなみに、固定側パッド３１にはボルト挿通用の座ぐり孔が設けられて、固定側パッド３１がボルト固定された状態で、ボルトの頭が突出しない構成となっている。
【００３４】
揺動体３３は、前面視で、台枠３５と略同幅の板状の先端側部分３３ｔと、その先端側部分３３ｔにおける基端３３Ｂ側の端部の左側から基端Ｂ側に片状に突出する基端側部分３３ｂを備え、更に、その基端側部分３３ｂの基端３３Ｂ側の端部に、前方側支柱５Ｆよりも車体横幅方向で左側に突出する操作部３３ｈを備えた形状に構成されている。
更に、揺動体３３の先端側部分３３ｔにおける基端３３Ｂ側の端部には、一対の軸支部３３ａが、車体横幅方向両端に振り分けられて、前方に突出する状態で一体的に備えられている。
移動側パッド３２は、固定側パッド３１と同形状の長尺状に形成され、その移動側パッド３２が、揺動体３３の先端側部分３３ｔにおける後面の先端に、その幅方向に沿わせてボルト固定されている。ちなみに、移動側パッド３２にも、固定側パッド３１と同様にボルト挿通用の座ぐり孔が設けられて、移動側パッド３２がボルト固定された状態で、ボルトの頭が突出しない構成となっている。
【００３５】
そして、揺動体３３がその一対の軸支部３３ａ夫々を台枠３５の一対の揺動支持アーム部３５ａ夫々に重ねて配設された状態で、一対の軸支用ボルト３６夫々が、車体横幅方向に沿わせた姿勢で、揺動支持アーム部３５ａに形成された挿通孔に挿通されて軸支部３３ａに螺挿されている。
つまり、揺動体３３が、一対の軸支用ボルト３６を支軸として、車体前後方向に揺動自在に設けられていることになる。
【００３６】
更に、一対のコイルバネ３７が、車体横幅方向に振り分けられた状態で、台枠３５と揺動体３３の先端側部分３３ｔにおける軸支部３３ａよりも先端３３Ｔ側の部分との間に収縮状態で設けられている。それによって、揺動体３３が、その先端３３Ｔが車体前後方向で前方側に移動するように、即ち、移動側パッド３２が固定側パッド３１から離間する方向に移動するように付勢されている。尚、各コイルバネ３７は、台枠３５にその前方に突出する状態で設けられたピン４２と、揺動体３３にその後方に突出する状態で設けられたピン４３とにより保持されている。
【００３７】
つまり、この実施形態では、揺動体３３が、その長手方向を上下方向に向けた姿勢で、車体横幅方向（支柱並び方向に直交する横方向である横幅方向に相当する）の軸心Ｐ（一対の軸支用ボルト３６の軸心に相当する）周りで揺動自在に設けられていることになる。
又、揺動体３３の基端３３Ｂ側に、前方側支柱５Ｆよりも車体横幅方向に突出する操作部３３ｈが備えられていることになる。この揺動体３３の操作部３３ｈが、制動用ソレノイド３４のロッド３４ｒが作用する箇所である揺動体３３の基端部３３ｈに相当する。
【００３８】
制動用ソレノイド３４を取り付けるソレノイド取付板３８が、前方側支柱５Ｆの前面部における台枠３５よりも上方側の箇所に、前面視において車体横幅方向で右側に突出する状態でボルト固定されている。
制動用ソレノイド３４が、そのロッド３４ｒの突出方向が車体前後方向の前方を向く姿勢でソレノイド取付板３８における前方側支柱５Ｆの側方への突出部分に取り付けられている。
この制動用ソレノイド３４は、通電して励磁するとロッド３４ｒが突出し（図８参照）、通電を断って消磁するとロッド３４ｒが引込む（図７参照）構成である。
そして、図８に示すように、制動用ソレノイド３４に通電して、ロッド３４ｒを突出させて揺動体３３の操作部３３ｈを車体前後方向の前方側に押すことにより、一対のコイルバネ３７の付勢力に抗して揺動体３３をその先端３３Ｔが車体前後方向の後方側に移動するように車体横幅方向の軸心Ｐ周りで揺動させて、移動側パッド３２を固定側パッド３１に接近させて両パッド３１，３２にて一対の昇降用ワイヤ１４を挟み付けるように構成されている。
つまり、制動用ソレノイド３４に通電することにより、制動手段Ｓが、固定側及び移動側の両パッド３１，３２にて一対の昇降用ワイヤ１４を挟み付ける制動状態に作動される構成となっている。
【００３９】
つまり、この実施形態では、制動用ソレノイド３４が、揺動体３３の基端部（操作部）３３ｈよりも前方側支柱５Ｆの側に設けられて、ロッド３４ｒを突出させて揺動体３３の基端部（操作部）３３ｈを押すことにより、固定側及び移動側の両パッド３１，３２にて一対の昇降用ワイヤ１４を挟み付けるべく揺動体３３を揺動させるように構成されていることになる。
更に、制動用ソレノイド３４が、ロッド３４ｒにて揺動体３３の操作部３３ｈを押し付け可能な状態で、前方側支柱５Ｆにおける車体横幅方向の側方に設けられていることになる。
【００４０】
上述の制御装置Ｈは、制御ボックス３９の内部に設けられ、その制御ボックス３９が、揺動体３３における車体前後方向の前方（前方側支柱５Ｆの側とは反対側の側方に相当する）に位置する状態で、受け台４０と連結具４１とによって前方側支柱５Ｆの前面部に取り付けられている。
以下、この制御装置Ｈにおける昇降用モータ１７及び制動用ソレノイド３４の制御動作について、説明を加える。
尚、制御装置Ｈにおける昇降用モータ１７の制御動作は公知であるので、昇降台４の昇降を停止させるときの制御動作について説明して、その他の制御動作の説明は省略する。
【００４１】
制御装置Ｈは、昇降台４を目的位置に上昇又は下降させるときは、巻取りドラム１６を高速の回転速度で正逆回転させて、高速で巻取り繰り出し作用をさせるべく、昇降用モータ１７を高速の回転速度で作動させる。
そして、制御装置Ｈは、通常の制御状態において、昇降台４が目的位置よりも所定距離手前に達すると、巻取りドラム１６の回転速度を高速から低速に減速すべく昇降用モータ１７を作動させ、昇降台４が目的位置に達すると、昇降用モータ１７への通電を断つ。
すると、電磁ブレーキが作動して昇降用モータ１７の回転が停止して、巻取りドラム１６の回転が停止し、それによって、巻取りドラム１６による巻取り繰り出し作用が停止して、昇降台４が停止する。
【００４２】
制御装置Ｈは、昇降台４を目的位置に上昇又は下降させるべく昇降用モータ１７を高速の回転速度で作動させている状態で、非常停止指令が指令されると、昇降用モータ１７への通電を断つと共に、制動用ソレノイド３４に通電して制動手段Ｓを制動状態に切り換える。
すると、電磁ブレーキが作動して昇降用モータ１７の回転が非常停止し、それに伴って巻取りドラム１６の回転が非常停止し、並びに、制動用ソレノイド３４のロッド３４ｒが突出して揺動体３３の操作部３３ｈが押されることにより、一対のコイルバネ３７の付勢力に抗して、先端３３Ｔが車体前後方向の後方側に移動する側に揺動体３３が軸心Ｐ周りで揺動して、固定側及び移動側の両パッド３１，３２にて一対の昇降用ワイヤ１４が挟み付けられて制動される。
尚、制動用ソレノイド３４に通電して制動手段Ｓを制動状態に切り換えるタイミングは、昇降用モータ１７への通電を断つのと同時でも良いし、昇降用モータ１７への通電を断った後、予め設定した遅延時間が経過した後でも良い。
ちなみに、非常停止指令は、人為操作式の非常停止ボタン（図示省略）が操作されることに基づいて、あるいは、昇降台４の異常動作等を検知する異常検知用センサ（図示省略）が検知作動することに基づいて指令される。
【００４３】
上述のように、巻取りドラム１６の回転の非常停止により、昇降用ワイヤ１４の巻取りが非常停止されても、昇降台４には上方向きの慣性力が働くので、昇降台４が停止するのに多少の遅れが生じる。
すると、停止状態の巻取りドラム１６の側に昇降用ワイヤ１４が送り込まれることになるが、固定側及び移動側の両パッド３１，３２にて一対の昇降用ワイヤ１４が挟み付けられて制動されるので、停止状態の巻取りドラム１６に昇降用ワイヤ１４が送り込まれるのが防止されることになり、乱巻き状態になるのを防止することができる。
【００４４】
制御装置Ｈは、制動用ソレノイド３４に通電して制動手段Ｓを制動状態に切り換えた後、制動解除用の設定時間が経過すると、制動用ソレノイド３４への通電を停止して制動手段Ｓの制動状態を解除する。すると、制動用ソレノイド３４が消磁されてロッド３４ｒを突出状態に保持する力が解除されるので、一対のコイルバネ３７の付勢力により、揺動体３３がその先端３３Ｔが車体前後方向の前方側に移動する側に軸心Ｐ周りで揺動して、移動側パッド３２が固定側パッド３３から離れる側に移動することになり、両パッド３１，３２で一対の昇降用ワイヤ１４を挟み付ける状態が解除される。
【００４５】
上述のように、揺動体３３が、その先端３３Ｔと基端３３Ｂとが並ぶ方向である長手方向の中間部にて揺動自在に支持され、制動用ソレノイド３４が、ロッド３４ｒを揺動体３３の基端部（操作部）３３ｈに作用させるように設けられる構成とすることにより、スタッカークレーンＡにおける車体前後方向での長さを短縮することができる。
しかも、揺動体３３、制動用ソレノイド３４及び制御装置Ｈの配置形態としては、上述の如き配置形態、即ち、揺動体３３が、その長手方向を上下方向に向けた姿勢で車体横幅方向の軸心Ｐ周りで揺動自在に設けられ、制動用ソレノイド３４が前方側支柱５Ｆにおける車体横幅方向の側方に設けられ、並びに、制御装置Ｈが、揺動体３３の前方に設けられている配置形態となっている。
このような配置形態にすることにより、左右一対の物品収納棚Ｂの間隔を狭くして自動倉庫のコンパクト化を図るために、車体横幅を狭くするという目的で、制御装置Ｈを揺動体３３の前方に設けたスタッカークレーンＡにおいて、車体横幅を狭くする状態を維持しながら、車体前後方向での長さを短縮することができるようになり、コンパクト化を効果的に図ることができる。
【００４６】
〔別実施形態〕
次に別実施形態を説明する。
（イ）  揺動駆動手段として、通電によりロッドを引っ込ませる形態の制動用ソレノイドを用いて、この制動用ソレノイドを、揺動体３３の基端部３３ｈよりも前方側支柱５Ｆとは反対側に設けて、ロッドを引っ込ませて揺動体３３の基端部３３ｈを引っ張ることにより、固定側及び移動側の両パッド３１，３２にて昇降用ワイヤ１４を挟み付けるべく揺動体３３を揺動させるように構成しても良い。
但し、この場合、制御装置Ｈを内部に設けた制御ボックス３９を制動用ソレノイドよりも下方に設けることにより、ワイヤ巻き取り式昇降搬送装置における車体前後方向での長さが長くなるのを防止する。
【００４７】
（ロ）  揺動体３３の設置形態は、上記の実施形態において例示した形態、即ち、長手方向を上下方向に向けた姿勢で、車体横幅方向の軸心Ｐ周りで揺動自在に設ける形態に限定されるものではない。例えば、長手方向を車体横幅方向に向けた姿勢で、上下方向の軸心周りで揺動自在に設けても良い。
【００４８】
（ハ）  上記の実施形態では、昇降台４を上昇させるべく作動させている昇降用モータ１７を非常停止させるときに、制動手段Ｓを制動状態に作動させたが、昇降台４を下降させるべく作動させている昇降用モータ１７を非常停止させるときにも、制動手段Ｓを制動状態に作動させるように構成しても良い。
【００４９】
（ニ）  揺動駆動手段の具体的構成は、上記の実施形態において例示した制動用ソレノイド３４に限定されるものではなく、例えば、電動シリンダを用いことができる。
【００５０】
（ホ）  本発明を適用可能なワイヤ巻き取り式昇降搬送装置は、上記の実施形態において説明したスタッカクレーンＡに限定されるものではなく、例えば、静止状態で設けるものでも良い。
【符号の説明】
【００５１】
４      昇降台
５      支柱
５Ｆ    ドラム側支柱
１４    昇降用ワイヤ
１４ｄ  ドラム側垂下部分
１５    案内体
１６    巻取りドラム
１７    モータ
３１    固定側パッド
３２    移動側パッド
３３    揺動体
３３ｈ  基端部、操作部
３３Ｂ  基端
３３Ｔ  先端
３４    揺動駆動手段
３４ｒ  作用部
Ｃ      移動経路
Ｈ      制御手段
Ｐ      軸心
Ｓ      制動手段
【図１】
0005557039.tif 000002
【図２】
0005557039.tif 000003
【図３】
0005557039.tif 000004
【図４】
0005557039.tif 000005
【図５】
0005557039.tif 000006
【図６】
0005557039.tif 000007
【図７】
0005557039.tif 000008
【図８】
0005557039.tif 000009
【図９】
0005557039.tif 000010
【図１０】
0005557039.tif 000011
【図１１】
0005557039.tif 000012
【図１２】
0005557039.tif 000013